(57)【要約】      （修正有）【課題】液体化粧品製剤を供給し、塗布するための新規なデバイスを提供する。【解決手段】製剤を供給し塗布するためのデバイスは、製剤を収容するチャンバが中に画定された中心軸線を有する細長い中空本体と、その遠位端に取り付けられた塗布ブラシ２００と、本体の内部に配設された中継芯３００であって、チャンバとブラシとを流体接続し、チャンバ内に収容された製剤をブラシへ給送する中継芯とを含む。芯は複数の芯セグメント３１０を含み、芯セグメントは隣接した芯セグメントの端面３１０ａ、３１０ｂが互いに接触した状態で軸線に沿って一列に接続される。各芯セグメントは50〜80%の気孔率を有する。これらは、デバイスと、ブラシを密封するキャップを含むアセンブリにも関する。キャップはデバイスの本体の遠位端に取外し可能に結合される。【選択図】図３
2020039540.tif 000002
【特許請求の範囲】
【請求項１】
液体化粧品製剤(F)を供給し、塗布するためのデバイス(10)であって、
前記液体化粧品製剤(F)を収容するチャンバ(110)が中に画定されている、長手方向中心軸線(X)を有する細長い中空本体(100)と、
前記細長い中空本体(100)の遠位端(100a)上に取り付けられている塗布ブラシ(200)と、
前記細長い中空本体(100)の内部に配設されている中継芯(300)であり、前記チャンバ(110)と前記塗布ブラシ(200)とを流体接続して、前記チャンバ(110)内に収容されている前記液体化粧品製剤(F)を前記塗布ブラシ(200)へ給送する、中継芯(300)と
を含み、
前記中継芯(300)は複数の芯セグメント(310)を含み、前記芯セグメント(310)は、隣接した前記芯セグメント(310)の端面(310a、310b)が互いに接触している状態で、前記長手方向中心軸線(X)に沿って一列に接続されており、各芯セグメント(310)は50%から80%までの気孔率を有する、
デバイス(10)。
【請求項２】
前記中継芯(300)は2つまたは3つの芯セグメント(310)で構成されている、請求項1に記載のデバイス(10)。
【請求項３】
前記複数の芯セグメント(310)は同じ気孔率を有する、請求項1または2に記載のデバイス(10)。
【請求項４】
前記チャンバ(110)に近い側に配設されている前記芯セグメント(310)は、前記塗布ブラシ(200)に近い側に配設されている前記芯セグメント(310)より高い気孔率を有する、請求項1または2に記載のデバイス(10)。
【請求項５】
各芯セグメント(310)は横断面において同一の形状およびサイズを有する、請求項1から4のいずれか一項に記載のデバイス(10)。
【請求項６】
各芯セグメント(310)は円形の、略円形の、または長円形の横断面を有する、請求項1から5のいずれか一項に記載のデバイス(10)。
【請求項７】
各芯セグメント(310)は圧縮化学繊維または圧縮天然繊維で構成されている、請求項1から6のいずれか一項に記載のデバイス(10)。
【請求項８】
前記液体化粧品製剤(F)は前記細長い中空本体(100)の前記チャンバ(110)内へ直接装填される、請求項1から7のいずれか一項に記載のデバイス(10)。
【請求項９】
前記液体化粧品製剤(F)を含浸した吸収性要素(130)が前記細長い中空本体(100)の前記チャンバ(110)内へ装填される、請求項1から7のいずれか一項に記載のデバイス(10)。
【請求項１０】
前記液体化粧品製剤(F)はアイライナ液体である、請求項1から9のいずれか一項に記載のデバイス(10)。
【請求項１１】
アセンブリ(1)であって、
請求項1から10のいずれか一項に記載のデバイス(10)と、
前記デバイス(10)の前記塗布ブラシ(200)を密封するキャップ(20)であり、前記デバイス(10)の前記細長い中空本体(100)の前記遠位端(100a)に取外し可能に結合される、キャップ(20)と
を含む、アセンブリ(1)。
【発明の詳細な説明】
【技術分野】
【０００１】
本発明は、液体化粧品製剤を供給し、塗布するために使用されるデバイスに関する。より詳細には、本発明は、そのデバイスから供給される液体化粧品製剤、特にアイライナ液体を、ユーザ自身の身体または別の人の身体上の所望の部位、特に目の周囲に塗布するために、ユーザにより使用されるデバイスに関する。また、本発明は、そのようなデバイスを含むアセンブリに関する。
【０００２】
本明細書において、「化粧品製剤」という用語は、化粧品製剤に関連する、2009年11月30日に発効された欧州理事会および議会規則1223/2009に規定されている製剤を意味すると、理解されるべきである。
【背景技術】
【０００３】
アイライナは、大まかに、粉末タイプ、ペンシルタイプ、液体タイプ、およびジェルタイプに分類される。それらの中で、かなりの寿命を有し、ユーザが太い線または細い線を自由に引くことを可能にすること、および小さい身体部上で使い易いことなどの理由で、液体タイプのアイライナが最も好適である。
【０００４】
通常、ブラシペンタイプのデバイスが、アイライナ液体を塗布するのに使用される。このデバイスは、一般に、細長い中空本体と、それの遠位端に設けられている塗布ブラシとを含む。細長い中空本体はその中にチャンバを有し、このチャンバはアイライナ液体(「アイライナインク」とも呼ばれる)で満たされている。チャンバ内の適切な量のアイライナ液体が、その毛細管作用を利用することにより、中継芯と呼ばれるアイライナ液体給送部材を介して、塗布ブラシに供給される。
【０００５】
これらのようなデバイスでは、アイライナ液体の吐出が使用開始後に経時的に悪化するという問題に直面する。この問題は、最初から高い割合の固体がアイライナ液体中に存在すること、水分が逃げることに因るアイライナ液体の漸次的な劣化、および毛細管作用の減少または不均衡などの要因に起因すると考えられる。
【０００６】
本明細書にいくらか関連すると考えられる従来の技術が、たとえば、特許文献1、特許文献2、特許文献3、特許文献4、および特許文献5において開示されている。しかし、これらの公報に記載されているデバイスは単に筆記用具である。すなわち、これらの先行技術デバイスは、デバイスから供給される液体を、ユーザ自身の身体または別の人の身体の所望の部位、特に目の周囲に塗布するのに適していない。
【先行技術文献】
【特許文献】
【０００７】
【特許文献１】特開平11-268472号公報
【特許文献２】特開2000-343878号公報
【特許文献３】実全平02-088793号公報
【特許文献４】特表平06-509524号公報
【特許文献５】特許第3193469号公報
【発明の概要】
【発明が解決しようとする課題】
【０００８】
上記のことから、本発明の目的は、先行技術デバイスに関連して前述されている問題を克服または少なくとも軽減することができる、液体化粧品製剤を供給し、塗布するための新規のデバイスを提供することである。
【課題を解決するための手段】
【０００９】
本目的を達成するために、本発明は、液体化粧品製剤を収容するチャンバが中に画定されている、長手方向中心軸線を有する細長い中空本体と、細長い中空本体の遠位端上に取り付けられている塗布ブラシと、細長い中空本体の内部に配設されている中継芯であり、チャンバと塗布ブラシとを流体接続して、チャンバ内に収容されている液体化粧品製剤を塗布ブラシへ給送する、中継芯とを含み、中継芯は複数の芯セグメントを含み、芯セグメントは、隣接した芯セグメントの端面が互いに接触している状態で、長手方向中心軸線に沿って一列に接続されており、各芯セグメントは50%から80%までの気孔率を有する、液体化粧品製剤を供給し、塗布するためのデバイスを提供する。さらに、本発明は、これらの特徴を含むデバイスを含むアセンブリ、およびデバイスの塗布ブラシを密封するキャップを提供し、キャップはデバイスの細長い中空本体の遠位端に取外し可能に結合される。
【００１０】
本発明は、一列に配置されている複数の芯セグメントを含む中継芯を使用することにより、かつ各芯セグメントの気孔率を、特に50%から80%までに調整することにより、液体化粧品製剤を給送する中継芯の能力は、従来の連続した中継芯と比較して大幅に改善されるという、本発明の発明者による新規の発見に基づいている。この結果は以下の現象に起因すると考えられる。端面が互いに接触しているように複数の芯セグメントを一列に配設することにより、液体化粧品製剤を収容するチャンバに近い側の芯セグメントは、いわゆる「サブタンク」としての機能を果たす。結果として、塗布ブラシと液体化粧品製剤用の貯蔵場所との間の実質的な距離は短縮される。これは、液体化粧品製剤の流動反応が改善されることを意味する。
【００１１】
このことに加えて、端面が互いに接触しているように複数の芯セグメントを一列に配設することにより、中継芯の気孔率は、芯セグメントの端面間の境界面の近傍において若干高まる。結果として、中継芯自体の毛細管作用は弱化され、その結果、塗布ブラシは、従来の連続した中継芯が使用されている場合と比較して、液体化粧品製剤をより良好に引くことができる。そのような現象の相乗効果に因り、本発明による、液体化粧品製剤を供給し、塗布するためのデバイスは、連続した中継芯を含む従来のデバイスと比較して、その中継芯により、液体化粧品製剤の給送能力を大幅に改善すると考えられる。結果として、本発明によるデバイスは、液体化粧品製剤(たとえば、アイライナ液体)の吐出が使用開始とともに経時的に悪化する従来のデバイスの欠点を克服することができる。言い換えれば、本発明により、塗布対象に付着する液体化粧品製剤の量は増大され得る。特に、液体化粧品製剤が黒または茶などの暗色を有する場合、付着量を増加することにより、色の強度を効果的に増強することが可能である。
【００１２】
本発明では、中継芯を構成する芯セグメントの数は特に制限されていない。しかし、本発明の好適な態様によれば、中継芯は2つまたは3つの芯セグメントで構成されていてもよい。
【００１３】
本発明の好適な態様によれば、複数の芯セグメントは同じ気孔率を有し得る。本発明の別の好適な態様によれば、チャンバに近い側に配設されている芯セグメントは、塗布ブラシに近い側に配設されている芯セグメントより高い気孔率を有し得る。
【００１４】
本発明の好適な態様によれば、各芯セグメントは横断面において同一の形状およびサイズを有し得る。
【００１５】
中継芯を構成する芯セグメントの横断面形状は特に限定されていない。しかし、本発明の好適な態様によれば、各芯セグメントは、円形の、略円形の、または長円形の横断面を有し得る。
【００１６】
本発明の好適な態様によれば、各芯セグメントは、たとえば、ポリエステル繊維、アクリル繊維およびナイロン(ポリアミド)繊維などの圧縮化学繊維、またはたとえば綿繊維などの圧縮天然繊維で構成されていてもよい。
【００１７】
本発明の好適な態様によれば、液体化粧品製剤は細長い中空本体のチャンバ内へ直接装填され得る。本発明の別の好適な態様によれば、吸収性要素、たとえば液体化粧品製剤を含浸した大量の綿繊維を含む吸収性要素が、代りに、細長い中空本体のチャンバ内へ装填されてもよい。
【００１８】
本発明の好適な態様によれば、液体化粧品製剤は、その成分の1つとして成膜剤を含む製剤であってもよく、特に、液体化粧品製剤はアイライナ液体(アイライナインク)であってもよい。
【００１９】
ここで、本発明の非限定的で代表的な実施形態について、添付図面を参照して、以下に詳細に説明する。
【図面の簡単な説明】
【００２０】
【図１】デバイスの塗布ブラシを密封するキャップが除去されている、本発明の一実施形態によるアセンブリおよびデバイスの外観斜視図である。
【図２】その長手方向中心軸線に沿って取った(すなわち長手方向中心軸線を含む)、図1に示されているデバイスの横断面図である。
【図３】中継芯を構成している芯セグメントが互いにかつホルダおよび塗布ブラシから分離されて示されている、本発明の一実施形態によるデバイス内に組み込まれている中継芯の外観斜視図である。
【図４】本発明の別の実施形態によるデバイスの、図2に類似した横断面図である。
【発明を実施するための形態】
【００２１】
ここで、本発明のいくつかの好適な実施形態について、図1から図4を参照して説明する。本発明の下記の例示的実施形態は、液体化粧品製剤のタイプであるアイライナ液体を供給し、塗布するためのデバイスに関し、また、そのようなデバイスを含むアセンブリに関する。これらのデバイスは、デバイス自体から供給されるアイライナ液体をユーザまたは別の人の目の周囲に塗布するために、ユーザにより使用される。本発明の下記の例示的実施形態は、その成分の1つとして成膜剤を含む液体化粧品製剤を供給し、塗布するのに特に適している。しかし、本発明は、同様に、他のタイプの液体化粧品製剤を供給し、塗布するために使用され得る。
【００２２】
図1は、本発明の1つの好適な実施形態によるアセンブリ1およびデバイス10を示す。アセンブリ1は、デバイス10と、デバイス10の塗布ブラシ200(詳細に後述する)を密封するキャップ20とを含む。図1では、アセンブリ1は、塗布ブラシ200を封入するためのキャップ20がデバイス10から除去されている状態で示されている。図1に二点鎖線で示されているものは、キャップ20がデバイス10に取り付けられている状態である。
【００２３】
キャップ20は、たとえば凹凸嵌合または締まり嵌めにより、デバイス10の細長い(すなわち長尺な)中空本体100(詳細に後述される)の遠位端100aに取外し可能に結合され得る。上述されているように、アセンブリ1はデバイス10から除去されているキャップ20とともに示されているが、通常(すなわちデバイスが使用されていない場合)、キャップ20は、それがデバイス10の細長い中空本体100の遠位端100aに結合されている状態にある。当業者に明白であるように、本明細書において、「遠位」という用語は、ユーザがデバイスを使用するためにそれを握持している間、ユーザの指先から離れている側を意味する。一方、「近位」という用語は、ユーザの指の付け根に近い側を意味する。
【００２４】
その長手方向中心軸線Xに沿って取った、図1に示されているデバイスの横断面図を示す図2からわかるように、アイライナ液体Fを供給し、塗布するためのデバイス10は、前述されているように、細長い中空本体100と、細長い中空本体100の遠位端100a上に取り付けられている塗布ブラシ200とを含む。デバイス10は、細長い中空本体100の内部に配設されている中継芯300をさらに含む。本実施形態では、細長い中空本体100を貫通して延在している長手方向中心軸線Xは、デバイス10および中継芯300の長手方向中心軸線でもある。
【００２５】
塗布ブラシ200は、たとえば多数のポリエステル繊維を束にすることにより形成されている。塗布ブラシ200は、細長い中空本体100内に収容されているその近位端からその先端部200aに向かって徐々に先細になる一般形態であってもよい。本実施形態では、塗布ブラシ200は、ブラシ体210と、ブラシ体210の近位端の周囲に配設されておりかつその全体的形状を維持する鼻状部品220と、鼻状部品220の底部開口部を覆っているフランジ230とを含む。ブラシ体210を構成する繊維の根元は、フランジ230の表面に結合されている。
【００２６】
やはり図2からわかるように、アイライナ液体Fを収容するチャンバ110が細長い中空本体100の内部に画定されている。中継芯300はチャンバ110と塗布ブラシ200とを流体接続している。それにより、中継芯300は、チャンバ110内に収容されているアイライナ液体Fを塗布ブラシ200へ給送する役割を果たす。
【００２７】
本実施形態では、アイライナ液体Fは細長い中空本体100のチャンバ110内へ直接装填される。したがって、本実施形態は「タンク」タイプと呼ばれる可能性がある。本実施形態によるこのタンクタイプデバイスでは、細長い中空本体100は、外管112と、そのかなりの部分が外管112の内部に嵌合されている内管114とを含む。外管112は、その近位端が閉じられておりかつその遠位端が開いているように成形されている。
【００２８】
内管114の遠位端において、塗布ブラシ200、より正確には鼻状部品220は、塗布ブラシ200の先端部200aが外向きに突出するように嵌合されている。さらに、内管114内に、中継芯300の直径D(図3参照)に相当する内径を有する中心貫通孔を備えた芯ホルダ120が塗布ブラシ200に隣接して嵌合されている。中継芯300は、芯ホルダ120の中心貫通孔を通ってその両端から突出するように、芯ホルダ120内に配設(嵌合)されている。中継芯300の近位端面はチャンバ110の内部空間に面しており、したがって、アイライナ液体Fと接触している。
【００２９】
内管114の近位端は(それがアイライナ液体Fで満たされた後に)栓116により閉じられている。本実施形態では、アイライナ液体Fを収容するチャンバ110は、内管114内に、栓116と芯ホルダ120の近位端面との間に画定されている空間である。図示されていないが、アイライナ液体Fをかき混ぜるために、チャンバ110の内径より小さい直径を有する金属球等がチャンバ110内に収容されていてもよい。
【００３０】
前述されているように、中継芯300は、チャンバ110に隣接しているように、内管114の内部に嵌合されている芯ホルダ120により、所定の位置に固定されている。芯ホルダ120は「ベローズ」とも呼ばれ、軸方向に沿って近接して配置されている多数の円形フィン120aを有する。多数の円形フィン120aは、チャンバ110から芯ホルダ120の側へ漏出するアイライナ液体Fの少量を一時的に保持する。チャンバ100の反対側に配置されている中継芯300の遠位端は、フランジ230の中心貫通孔を介して、塗布ブラシ200の近位端内へ、所定の長さ、たとえば約数ミリメートル(mm)、まで挿入されている。
【００３１】
図2に加えて、中継芯を構成している芯セグメントが互いに分離されている状態にある中継芯を示す図3からわかるように、本実施形態では、中継芯300は複数の芯セグメント310を含む。したがって、本実施形態の中継芯300は「マルチセグメント」芯と呼ばれる可能性がある。芯セグメント310は、隣接した芯セグメント310の端面が互いに接触している状態で、長手方向中心軸線Xに沿って一列に接続されている。図2に示されているように、中継芯300が所定の位置に置かれている場合、チャンバ110の側の芯セグメント310の遠位端面(平面)310aと塗布ブラシ200の側の芯セグメント310の近位端面(平面)310bとは互いに密接しているが、それらは結合されていない。
【００３２】
中継芯300を構成する芯セグメント310の数は特に制限されていないが、本実施形態では、2つの芯セグメント310が使用されている。別の好適な実施形態では、3つの芯セグメントが使用され得る。さらに、本実施形態では、おおよそ同じ長さを有する2つの芯セグメント310が使用されているが、芯セグメント310の長さ比は任意に変更され得る。
【００３３】
本実施形態では、各芯セグメント310は圧縮化学繊維、たとえば圧縮ポリエステル繊維(または圧縮アクリル繊維または圧縮ナイロン(ポリアミド)繊維)、で構成されている。しかし、別の好適な実施形態では、各芯セグメント310は、圧縮綿繊維などの圧縮天然繊維で構成されていてもよい。さらに、本実施形態では、各芯セグメント310は50%から80%までの気孔率を有し、この気孔率は全芯セグメント310に関して同一である。しかし、別の好適な実施形態では、チャンバ110に近い側に配設されている芯セグメント310は、塗布ブラシ200に近い側に配置されている芯セグメント310より高い気孔率を有し得る。
【００３４】
本実施形態では、各芯セグメント310は横断面において同一の形状およびサイズを有する。特に、本実施形態では、各芯セグメント310は円形横断面を有する。さらに、2つの芯セグメント310の長さは等しい。しかし、他の形状の芯セグメントを使用することも可能である。別の好適な実施形態では、たとえば、実質的に円形または長円形の横断面を有する芯セグメントが使用され得る。
【００３５】
前述されているように構成されている実施形態では、チャンバ110に近い側の芯セグメント310はいわゆる「サブタンク」としての機能を果たす。結果として、塗布ブラシ200とアイライナ液体Fの貯蔵場所との間の実質的な距離は短縮され、したがって、アイライナ液体Fの流動反応は、従来の連続した中継芯と比較して改善される。このことに加えて、中継芯の気孔率は、中継芯の他の部分と比較して、芯セグメント310の端面間の境界面の近傍で若干高まる。結果として、中継芯300自体の毛細管作用は適度に弱化され、その結果、塗布ブラシ200は、従来の連続した中継芯が使用されている場合と比較して、アイライナ液体Fをより良好に吸い取ることができる。
【００３６】
本実施形態によるデバイスでは、そのような現象の相乗効果に因り、中継芯によるアイライナ液体の給送能力は、連続した中継芯を使用する従来のデバイスと比較して、際立って改善される。結果として、塗布対象に付着するアイライナ液体の量は、従来のデバイスと比較して増加し得る。特に、付着量を増加させることにより、塗布対象上の堆積の色の強度は増強され得る。
【００３７】
図4は、その長手方向中心軸線に沿って取った(すなわち長手方向中心軸線を含む)、本発明の別の好適な実施形態によるデバイスの横断面図を示す。図4では、図1から図3までを参照して記載されているデバイスの構成要素と同一のまたは実質的に同一の機能を有する構成要素が、ダッシュ記号(')が付加されていることを除いて、前述されているデバイスに適用されているものと同じ参照番号を用いて示されている。したがって、前述されている構成要素と同一のまたは類似した構成要素の詳細な説明が省略されている。
【００３８】
図4に示されているデバイス10'は、主に、アイライナ液体を含浸した吸収性要素130が細長い中空本体100'のチャンバ110'内へ装填されていることにおいて、前述されているデバイス10と異なっている。したがって、本実施形態は「詰め物(wadding)」タイプデバイスと呼ばれる可能性がある。吸収性要素130は、細長い中空本体100'のチャンバ110'の内径より若干小さい外径と筐体132の内部空間を満たしている大量の繊維134とを有する円筒形筐体132で構成されている。本実施形態では、たとえば、大量の繊維134を形成するために、綿繊維が使用されている。中継芯300'の近位端は大量の繊維134内へ挿入されており、一方、中継芯300'の遠位端は、フランジ230'の中心貫通孔を介して、塗布ブラシ200'の近位端内へ挿入されている。中継芯300'を構成する複数の(本実施形態では2つの)芯セグメント310'が、ホルダ120'により、互いに密着している状態で保持される。吸収性要素130は、その近位端(図4の右側端部)100bから、細長い中空本体100'のチャンバ110'内へ装填される。さらに、止め具136が細長い中空本体100'のチャンバ110'内へ装填され、最終的に、細長い中空本体100'の近位端100bの開口部は端部キャップ138により閉じられる。本例示的実施形態は、前述されているタンクタイプデバイスにおいて使用される液体化粧品製剤より低い粘度を有する液体化粧品製剤を供給し、塗布することに、より適している。
【００３９】
図4に示されているデバイスに関して、図1から図3までを参照して前述されているデバイスのものと同じ効果が得られ得ることが、当業者に明白である。
【００４０】
使い捨てタイプのデバイスを図1から図4までを参照して記載したが、必要に応じて、(アイライナ液体などの)液体化粧品製剤が補充され得るようにデバイスを構成することも考えられる。この場合、たとえば、液体化粧品製剤で満たされたカートリッジがデバイスの細長い中空本体内へ装填される。当然、そのような実施形態も本発明の範囲内に含まれる。
【００４１】
本発明の効果の実証テスト
1.液体化粧品製剤の準備
室温(25℃)でTable 1(表1)に示されている様々な材料を混合することにより、2種類の液体化粧品製剤を準備した。以下、これらはそれぞれ「配合例1」および「配合例2」と呼ばれるか、または単に「インク」と呼ばれる。Table 1(表1)に示されている材料の相対量の数値はすべて、別段の指示がない限り、活性原料として「重量%」に基づいている。図1から図3までを参照して説明されているタンクタイプデバイス用に配合例1を準備した。一方、図4を参照して説明されている詰め物タイプデバイス用に配合例2を準備した。
【００４２】
【表１】
2020039540.tif 000003
【００４３】
*1: カーボンブラックの含有率:25wt%(カーボンブラックの量はTable 1(表1)の丸括弧内に示されている); アクリル酸アルキルコポリマーの含有率:7.5wt%; カーボンブラックを、ポリマー分散剤としてのアクリル酸アルキルコポリマーとともに、水に分散した。
*2: カーボンブラックの含有率:25wt%(カーボンブラックの量はTable 1(表1)の丸括弧内に示されている); カーボンブラックを、界面活性剤としてのラウレス-21およびPEG-40水添ヒマシ油とともに、水に分散した。
*3: スチレン/アクリレーツ/メタクリル酸アンモニウムコポリマーの含有率: 40wt%(スチレン/アクリレーツ/メタクリル酸アンモニウムコポリマーの量はTable 1(表1)の丸括弧内に示されている。)
【００４４】
2.発明例および比較例に関する具体的詳細およびテスト結果
図1から図3までを参照して説明されている前述の実施形態に相当する3つのタイプのデバイスを準備した。以下、これらのデバイスは「発明例1」、「発明例2」、および「発明例3」と呼ばれる。発明例1から発明例3までに関する、(詳細に後述されている)テストの具体的詳細および結果はTable 2(表2)に示されている。
【００４５】
【表２】
2020039540.tif 000004
【００４６】
比較のために、基本的構造が発明例1から発明例3までのものと同一であるが、通常の中継芯(連続体)が採用されている、3つのタイプのデバイスを準備した。以下、これらのデバイスは「比較例1」、「比較例2」、および「比較例3」と呼ばれる。比較例1から比較例3までに関する、テストの具体的詳細および結果はTable 3(表3)に示されている。
【００４７】
【表３】
2020039540.tif 000005
【００４８】
図4を参照して説明されている前述の実施形態に相当するデバイスを準備した。以下、このデバイスは「発明例4」と呼ばれる。さらに、比較のために、基本的構造が発明例4のものと同一であるが、通常(連続体)タイプの中継芯が採用されているデバイスを準備した。以下、このデバイスは「比較例4」と呼ばれる。発明例4および比較例4に関する、テストの具体的詳細および結果はTable 4(表4)に示されている。
【００４９】
【表４】
2020039540.tif 000006
【００５０】
3.テストの評価項目
発明例および比較例に関するテストの評価項目を、それぞれ、詳細に後述されている(i)バルク堆積、(ii)黒さ、および(iii)過酷テストとした。
【００５１】
バルク堆積: 前述されているように準備された配合例1を、発明例1から発明例3までおよび比較例1から比較例3までの各々の中へ装填した。前述されているように準備された配合例2を、発明例4および比較例4の各々の中へ装填した。これらのデバイスを使用して、長さ20cmの、インクの10本のラインをコピー用紙上に引いた。その後、線を引くのに使用された各デバイスの重量を測定し、「バルク堆積」としての測定結果を用いて、その後の重量の減少を計算した。
【００５２】
黒さ: インクで満たされた発明例1から発明例4までおよびインクで満たされた比較例1から比較例4までを使用して、バイオ皮膚プレート*4上の、一辺の長さ2cmの正方形をインクのラインで埋めた。次に、この正方形の表面のL*-値を測定し、分光光度計*5を使用して、インクの「黒さ」を判定した。L*-値が低いほど、それはより黒い。
*4: プレート#White 5T-5(株式会社ビューラックス製)
*5: 分光光度計CM-3610d(コニカミノルタ株式会社製)
【００５３】
過酷テスト: インクで満たされた発明例1から発明例4までおよびインクで満たされた比較例1から比較例4までを使用して、長さ10cmのラインを、コピー用紙上に2分間隔で40回引いた。次に、目視観測を用いて、ラインの数を数えた。このテストの全継続時間の間、デバイスのキャップは外されたままだった。評価記号の意味は次の通りである。
◎非常によい(インクを使い果たすことなく、40本超のラインを引くことができた)
○よい(インクを使い果たすことなく、30から40本までのラインを引くことができた)
△まあまあ(インクを使い果たすことなく、15から30本までのラインを引くことができた)、および
×悪い(インクを使い果たすことなく、1から15本までのラインを引くことができた)
【００５４】
4.テスト結果の概要
上記のテストにより、バルク堆積および黒さ(L*-値)に関して、マルチセグメントタイプの中継芯を含む発明例1から発明例4までは、通常(連続体)タイプの中継芯を含む比較例1から比較例4までよりも良好な結果を得ることを確認した。さらに、また、上記テストにより、発明例1から発明例4までは、インクを使い果たす前に、比較例1から比較例4までより遥かに多いラインを引くことができることを確認した。
【００５５】
本発明の好適な実施形態について、図面を参照して、前段で説明した。しかし、本発明はこれらの実施形態に限定されず、本発明の主旨および範囲から逸脱することなく、前述の実施形態に様々な修正および変更が施されてもよく、そのような修正および変更は本発明の範囲内に含まれる。
【符号の説明】
【００５６】
1  アセンブリ
10、10'  デバイス
20  キャップ
100、100'  細長い中空本体
100a  遠位端
100b  近位端
110、110'  チャンバ
112  外管
114  内管
116  栓
120  芯ホルダ
120a  円形フィン
120'  ホルダ
130  吸収性要素
132  円形筐体
134  大量の繊維
136  止め具
138  端部キャップ
200、200'  塗布ブラシ
200a  先端部
210  ブラシ体
220  鼻状部品
230、230'  フランジ
300、300'  中継芯
310、310'  芯セグメント
310a  遠位端面
310b  近位端面
D  (中継芯の)直径
F  アイライナ液体
X  長手方向中心軸線
【図１】
2020039540.tif 000007
【図２】
2020039540.tif 000008
【図３】
2020039540.tif 000009
【図４】
2020039540.tif 000010
【外国語明細書】
2020039540000001.pdf